(57)【要約】【課題】駆動モードが異なる複数の表示部を有する液晶表示装置において、色むら（パターン見え）を増加させることなく意図しない異常点灯を抑止できなかった。【解決手段】駆動モードが異なるセグメント型表示部のコモン電極層COM1とドットマトリクス型表示部の信号電極層SEG2との間に電界緩和用電極層EREを設け、コモン電極層COM1と信号電極層SEG2との間の斜め電界を緩和すると共に、電極層が存在しない領域を少なくした。【選択図】        図１
2010175690.tif 000002
【特許請求の範囲】
【請求項１】
第１、第２の基板と、
該第１、第２の基板の対向面に形成された駆動モードが異なる第１、第２の電極層と、
前記第１、第２の基板内に封入された液晶層と、
前記第１、第２の電極層間にあって前記第１、第２の基板の一方側に設けられた前記第１、第２の電極層による電界を緩和するための電界緩和用電極層と
を具備する液晶表示装置。
【請求項２】
前記第１、第２の電極層は、それぞれ、前記各第１、第２の基板の対向面に形成された請求項１に記載の液晶表示装置。
【請求項３】
前記第１、第２の電極層は、前記第１、第２の基板の対向面の一方側に形成された請求項１に記載の液晶表示装置。
【請求項４】
前記駆動モードはデューティ及びバイアスで決定される請求項１に記載の液晶表示装置。
【請求項５】
前記電界緩和用電極層には定電圧が印加されるようにした請求項１に記載の液晶表示装置。
【請求項６】
前記第１、第２の電極層の少なくとも１つと前記電界緩和用電極層との間のクリアランスは前記液晶層の厚さの１０倍以上である請求項１に記載の液晶表示装置。
【請求項７】
前記第１、第２の電極層の一方はセグメント型表示部に接続され、前記第１、第２の電極層の他方はドットマトリクス型表示部に接続された請求項１に記載の液晶表示装置。
【発明の詳細な説明】
【技術分野】
【０００１】
本発明は駆動モードが異なる複数の電極層（たとえばインジウム錫酸化物（ITO）電極層）を有する液晶表示装置に関する。
【背景技術】
【０００２】
一般に、液晶表示装置の特性は光学異方性Δnと液晶層の厚さdの積Δn・dに依存し、このΔn・dと偏光板の組合せで色調が決定される。
【０００３】
他方、液晶表示装置として、２つの表示部、たとえばセグメント型表示部（アイコン表示部）及びドットマトリクス型表示部（データ表示部）を有するものがある（参照：特許文献１）。また、２つの表示部を異なる駆動モードを用いて駆動するものがある（参照：特許文献２）。
【０００４】
図６は第１の従来の液晶表示装置を示すパネルレイアウト図である。図６の液晶表示装置はセグメント型表示部（アイコン表示部）及びドットマトリクス型表示部（データ表示部）を有する。
【０００５】
セグメント型表示部（アイコン表示部）は複数のコモン電極層COM1及び複数のセグメント電極層SEG1を有する。ドットマトリクス型表示部（データ表示部）は複数の走査電極層COM2及び複数の信号電極層SEG2を有する。この場合、たとえば、コモン電極層COM1及び走査電極層COM2はフロントガラス基板２（図６に図示せず、図７に図示）に設けられ、セグメント電極層SEG1及び信号電極層SEG2はリアガラス基板４（図６に図示せず、図７に図示）に設けられている。
【０００６】
図６においては、次の４つの領域が存在する。
領域Ａ：フロントガラス基板及びリアガラス基板の両方に電極層が存在する領域（クロス斜線で示す）
領域Ｂ１：フロントガラス基板のみに電極層が存在する領域（右下り斜線で示す）
領域Ｂ２：リアガラス基板のみに電極層が存在する領域（左下り斜線で示す）
領域Ｃ：フロントガラス基板及びリアガラス基板のいずれにも電極層が存在しない領域（白地で示す）。
【０００７】
図６においては、電極層はΔn・dのdに影響を与えるので、パネル内でΔn・dをできるだけ均一にするために、電極層が存在しない領域Ｃをできるだけ小さくしてある。
【０００８】
しかしながら、図６の液晶表示装置においては、矢印Xに示す領域において、図７に示すごとく、セグメント型表示部のコモン電極層COM1とドットマトリクス型表示部の信号電極層SEG2とが異常に接近する。この結果、セグメント型表示部のコモン電極層COM1のエッジとドットマトリクス型表示部の信号電極層SEG2のエッジとの間の長さL1が非常に短くなり、他方、セグメント型表示部の駆動モード及びドットマトリクス型表示部の駆動モードは異なるので、これらの間で強い斜め電界が発生して意図しない異常点灯が発生する。尚、図７において、１はフロント偏光板、２はフロントガラス基板、３はリア偏光板、４はリアガラス基板、５はガラス基板２，４間に注入された液晶層を示す。
【０００９】
たとえば、図８に示すごとく、セグメント型表示部の駆動モードはたとえば1/4デューティ、1/3バイアスのA波形であり、また、図９に示すごとく、ドットマトリクス型表示部の駆動モードは1/48デューティ、1/7バイアスのC波形である。従って、この場合、図１０に示すごとく、セグメント型表示部のコモン電極層COM1とドットマトリクス型表示部の信号電極層SEG2との間では最大で約11Vの電位差が生ずる。この結果、セグメント型表示部のコモン電極層COM1とドットマトリクス型表示部の信号電極層SEG2との長さL1が異常に短いので、これらの間では強い斜め電界が発生して意図しない異常点灯が発生することになる。
【００１０】
図１１は第２の従来の液晶表示装置を示すパネルレイアウト図である。図１１においては、図１２に示すごとく、図６の異常点灯領域Xにおけるセグメント型表示部のコモン電極層COM1のエッジとドットマトリクス型表示部の信号電極層SEG2のエッジとの間の長さL2を非常に長くしてある。つまり、L2>>L1である。これにより、セグメント型表示部のコモン電極層COM1とドットマトリクス型表示部の信号電極層SEG2との間の斜め電界を緩和でき、この結果、意図しない異常点灯の発生を抑制できる。
【先行技術文献】
【特許文献】
【００１１】
【特許文献１】特開２０００−３３８５１３号公報
【特許文献２】特開平９−５４３００号公報
【発明の概要】
【発明が解決しようとする課題】
【００１２】
しかしながら、上述の第２の従来の液晶表示装置においては、フロントガラス基板及びリアガラス基板のいずれにも電極層が存在しない領域Cが増加する。この結果、全体的に、Δn・dの異なる領域が増加し、色むら（パターン見え）が増加するという課題がある。
【００１３】
従って、本発明の目的は、駆動モードの異なる電極層を有する液晶表示装置において、色むら（パターン見え）を増加させることなく意図しない異常点灯の発生を抑止することにある。
【課題を解決するための手段】
【００１４】
上述の課題を解決するために、本発明に係る液晶表示装置は、第１、第２の基板と、第１、第２の基板の対向面に形成された駆動モードが異なる第１、第２の電極層と、第１、第２の基板内に封入された液晶層と、第１、第２の電極層間にあって第１、第２の基板の一方側に設けられた第１、第２の電極層による電界を緩和するための電界緩和用電極層とを具備するものである。
【発明の効果】
【００１５】
本発明によれば、電界緩和用電極層により斜め電界が緩和されるので、意図しない異常点灯を抑止できる。また、電極層の存在しない領域を少なくでき、この結果、色むら（パターン見え）も減少できる。
【図面の簡単な説明】
【００１６】
【図１】本発明に係る液晶表示装置の実施の形態を示すパネルレイアウト図である。
【図２】図１の部分断面図である。
【図３】図１のセグメント型表示部のコモン電極層と電界緩和用電極層とのクリアランスを説明するグラフである。
【図４】図２の変更例を示す断面図である。
【図５】図２の他の変更例を示す断面図である。
【図６】第１の従来の液晶表示装置を示すパネルレイアウト図である。
【図７】図６の部分断面図である。
【図８】図６のセグメント型表示部の駆動モードの例を示すタイミング図である。
【図９】図６のドットマトリクス型表示部の駆動モードの例を示すタイミング図である。
【図１０】図６の異常点灯領域に発生する電位差を説明するタイミング図である。
【図１１】第２の従来の液晶表示装置を示すパネルレイアウト図である。
【図１２】図１１の部分断面図である。
【発明を実施するための形態】
【００１７】
図１は本発明に係る液晶表示装置を示すパネルレイアウト図である。図１においては、図１１の領域Cにおけるセグメント型表示部のコモン電極層COM1とドットマトリクス型表示部の信号電極層SEG2との間に電界緩和用電極層（ダミー電極層）EREを設けてある。この電界緩和用電極層EREはコモン電極層COM1及び信号電極層SEG2のいずれにも接続されず、フローティング状態であるが、一定電圧たとえば接地電圧あるいは電源電圧を印加してもよい。
【００１８】
このように、図１においては、図６の場合と同様に、電極層が存在しない領域が非常に小さいので、Δn・dのdに影響せず、従って、パネル内でΔn・dは均一となり、この結果、色むら（パターン見え）を少なくできる。
【００１９】
また、図２に示すように、セグメント型表示部のコモン電極層COM1のエッジとドットマトリクス型表示部の信号電極層SEG2のエッジとの距離は図１２のセグメント型表示部のコモン電極層COM1のエッジとドットマトリクス型表示部の信号電極層SEG2のエッジとの距離L2と同一である。しかし、電界緩和用電極層EREの存在のために、セグメント型表示部のコモン電極層COM1とドットマトリクス型表示部の信号電極層SEG2との間の電気力線は電界緩和用電極層EREを迂回するので、セグメント型表示部のコモン電極層COM1とドットマトリクス型表示部の信号電極層SEG2との間の斜め電界は緩和され、この結果、意図しない異常点灯の発生を抑制できる。
【００２０】
図３は図２のセグメント型表示部のコモン電極層COM1と電界緩和用電極層EREとのクリアランスSと異常点灯発生電圧の関係を示すグラフである。尚、この場合、ドットマトリクス型表示部の信号電極層SEG2と電界緩和用電極層EREとのクリアランスは上述のクリアランスSより小さいものとする。また、液晶層５の厚さdを10μmとする。
【００２１】
図３に示すように、意図しない異常点灯発生を抑止するために、クリアランスSは液晶層５の厚さdの10倍以上であること、つまり液晶層５の厚さdが10μmである図３の例の場合は100μm以上であることが好ましい。
【００２２】
図４は図２の変更例を示す断面図である。図４に示すように、電界緩和用電極層EREはフロントガラス基板２に設けることもできる。
【００２３】
図５は図２の他の変更例を示す。図５に示すように、セグメント型表示部のコモン電極層COM1とドットマトリクス型表示部の信号電極層SEG2とが同一ガラス基板たとえばフロントガラス基板２上に存在する場合にも、電界緩和用電極層EREをセグメント型表示部のコモン電極層COM1とドットマトリクス型表示部の信号電極層SEG2との間のフロントガラス基板２上に設ける。これにより、セグメント型表示部のコモン電極層COM1とドットマトリクス型表示部の信号電極層SEG2との間の横方向電界を緩和でき、従って、意図しない異常点灯を抑止できる。
【００２４】
上述の実施の形態においては、セグメント型表示部及びドットマトリクス型表示部を設けているが、本発明は駆動モードが異なる少なくとも２つの表示部が存在する液晶表示装置に適用できる。その際、表示の態様はドットマトリクス、セグメントの種類を問わない。また、本発明は透過型及び反射型液晶表示装置のいずれにも適用できる。反射型の場合には、偏光板の一方の外側にミラーを設け、他方で光入射／光出射すればよい。
【符号の説明】
【００２５】
COM1：セグメント型表示部のコモン電極層
SEG1：セグメント型表示部のセグメント電極層
COM2：ドットマトリクス型表示部の走査電極層
SEG2：ドットマトリクス型表示部の信号電極層
ERE：電界緩和用電極層
X：異常点灯領域
【図１】
2010175690.tif 000003
【図２】
2010175690.tif 000004
【図３】
2010175690.tif 000005
【図４】
2010175690.tif 000006
【図５】
2010175690.tif 000007
【図６】
2010175690.tif 000008
【図７】
2010175690.tif 000009
【図８】
2010175690.tif 000010
【図９】
2010175690.tif 000011
【図１０】
2010175690.tif 000012
【図１１】
2010175690.tif 000013
【図１２】
2010175690.tif 000014